(57)【特許請求の範囲】
【請求項１】
原稿読取手段としてコンタクトイメージセンサを有する原稿読取装置において、
前記コンタクトイメージセンサを収納する読取手段収納部材に、前記読取手段収納部材に形成された保持部材にて前記原稿読取手段を保持し、導電性を有する弾性部材によって前記原稿読取手段を位置決めするとともに、前記弾性部材がフレームグランドと導通するよう構成したことを特徴とする原稿読取装置。
【請求項２】
前記弾性部材によって前記原稿読取手段を原稿搬送面と略平行で且つ原稿搬送方向上流から下流に向かって付勢したことを特徴とする請求項１記載の原稿読取装置。
【請求項３】
前記弾性部材を板バネで構成したことを特徴とする請求項１又は２載の原稿読取装置。
【請求項４】
原稿を搬送する原稿搬送手段を有することを特徴とする請求項１記載の原稿読取装置。
【請求項５】
前記原稿搬送手段をローラで構成したことを特徴とする請求項４記載の原稿読取装置。
【請求項６】
前記ローラは金属軸を有するローラで構成されることを特徴とする請求項５記載の原稿読取装置。
【請求項７】
前記弾性部材を前記ローラの金属軸と導通するよう構成したことを特徴とする請求項６記載の原稿読取装置。
【請求項８】
前記コンタクトイメージセンサは、少なくとも原稿を照明する光源と、原稿から得られる光像を読み取る読取素子及び筐体を有し、少なくとも前記読取素子が配設された基板を導電性を有して弾性変形可能な取付部材にてよって前記筐体に取り付けて構成されることを特徴とする請求項１記載の原稿読取装置。
【請求項９】
前記弾性部材を前記取付部材と導通するよう構成したことを特徴とする請求項８記載の原稿読取装置。
【発明の詳細な説明】
【０００１】
【発明の属する技術分野】
本発明は、原稿読取手段と原稿搬送手段を有する画像読取装置に関する。
【０００２】
【従来の技術】
昨今、情報処理システムの発達に伴って種々の情報処理機器が開発されている。これらの機器のうち、画像読取装置や画像読取機能を有するファクシミリ装置等の情報処理機器はオフィスのみならず、一般家庭においても広く使用されるようになってきている。
【０００３】
上記情報処理機器に用いられる読取部は、原稿像を縮小してＣＣＤ等の光電変換素子に導く縮小光学系と、ＣＣＤを原稿に近接させて原稿像をＣＣＤに等倍のまま導く等倍光学系（コンタクトイメージセンサ）との大きく２つに分けられる。
【０００４】
ここで、等倍光学系を用いた従来の原稿読取装置の一例を図８に示す。
【０００５】
即ち、図８は従来の画像読取装置の断面図であり、該読取装置は、制御基板２０１や主電源２０２を含む電気基板、読取部２０３、オペレーション部２０４等によって構成されている。
【０００６】
上記読取部２０３は、原稿２１１をセットして積載するための原稿トレー２０５、原稿２１１をガイドする上原稿ガイド２０６と下原稿ガイド２０７、複数枚の原稿２１１を順次送り出す原稿分離部２０８、光電変換素子を用いたコンタクトイメージセンサ２０９、該コンタクトイメージセンサ２０９の対向上面に原稿２１１の背景色（バックグランドカラー）となる読取基準板２１０を含んで構成されている。尚、コンタクトイメージセンサ２０９はＣＳホルダー２０９ａにビス２２１で固定されており、ＣＳホルダー２０９ａは本体フレーム２１９に保持され、前記読取基準板２１０は自重若しくはバネ等によってコンタクトイメージセンサ２０９側に付勢されている。
【０００７】
原稿２１１の搬送に際しては、先ず、原稿分離ローラ２１２と予備搬送板２１３とで挟まれた原稿２１１が摩擦片２１４によって１枚ずつ搬送される。そして、原稿２１１は、給送ローラ２１５と対向コロ２１６によってコンタクトイメージセンサ２０９と読取基準板２１０との間を通過して排紙ローラ２１７と対向コロ２１８によって図示矢印方向に排出される。尚、原稿排紙側には、通紙による原稿２１１の静電気を除去／軽減する除電ブラシ２２０が配設されている。
【０００８】
【発明が解決しようとする課題】
前記コンタクトイメージセンサ２０９を本体フレーム２１９に取り付けるには、取付部材であるＣＳホルダー２０９ａにコンタクトイメージセンサ２０９を固定し、そのＣＳホルダー２０９ａを本体フレーム２１９に取り付けるのが一般的である。
【０００９】
最近では、環境に優しい製品作りとして組立易くて分解し易い構成が望まれている。最近の取付技術では、ビスによる固定ではなく、スナップフィット（パッチン留め）が多く使用されている。
【００１０】
そのため、コンタクトイメージセンサの取付に際してもスナップフィットを用いた取り付けが必要となってきている。
【００１１】
又、シートスルー（原稿移動型）タイプの搬送系の場合には、コンタクトイメージセンサはそのガラス面と原稿が常に擦れるために静電気を発生し易い。特に、低湿環境下（日本では冬）では静電気が顕著に発生してしまう。この結果、原稿搬送による静電気のためにコンタクトイメージセンサが誤動作及び最悪の場合には破壊してしまい、ユーザーがメーカーに依頼して部品を交換してもらわない限り画像を正常に読み取ることができないという問題があった。
【００１２】
上記の場合、原稿の通紙による静電気を除電ブラシや除電シート等の除電材を搬送路に設けて問題を解決するのが一般的である。
【００１３】
ところが、上記取付方法では除電材は一般的には両面テープや接着剤等で原稿搬送路に貼り付けられるため、分解する際に除電材を剥しづらく、環境に優しい取付方法とは言えない。
【００１４】
本発明は上記問題に鑑みてなされたもので、その目的とする処は、環境に優しい製品作りとして組み立て易く分解し易い構成で、原稿搬送に伴う静電気の問題を解決して常に安定した画像を提供することができる画像読取装置を提供することにある。
【００１９】
【課題を解決するための手段】
上記目的を達成するため、請求項１記載の発明は、原稿読取手段としてコンタクトイメージセンサを有する原稿読取装置において、前記コンタクトイメージセンサを収納する読取手段収納部材に、前記読取手段収納部材に形成された保持部材にて前記原稿読取手段を保持し、導電性を有する弾性部材によって前記原稿読取手段を位置決めするとともに、前記弾性部材がフレームグランドと導通するよう構成したことを特徴とする。
【００２０】
請求項２記載の発明は、請求項１記載の発明において、前記弾性部材によって前記原稿読取手段を原稿搬送面と略平行で且つ原稿搬送方向上流から下流に向かって付勢したことを特徴とする。
【００２１】
請求項３記載の発明は、請求項１又は２記載の発明において、前記弾性部材を板バネで構成したことを特徴とする。
【００２２】
請求項４記載の発明は、請求項１記載の発明において、原稿を搬送する原稿搬送手段を有することを特徴とする。
【００２３】
請求項５記載の発明において、請求項４記載の発明において、前記原稿搬送手段をローラで構成したことを特徴とする。
【００２４】
請求項６記載の発明は、請求項５記載の発明において、前記ローラは金属軸を有するローラで構成されることを特徴とする。
【００２５】
請求項７記載の発明は、請求項６記載の発明において、前記弾性部材を前記ローラの金属軸と導通するよう構成したことを特徴とする。
【００２６】
請求項８記載の発明は、請求項１記載の発明において、前記コンタクトイメージセンサを、少なくとも原稿を照明する光源と、原稿から得られる光像を読み取る読取素子及び筐体を有し、少なくとも前記読取素子が配設された基板を導電性を有して弾性変形可能な取付部材にてよって前記筐体に取り付けて構成したことを特徴とする。
【００２７】
請求項９記載の発明は、請求項８記載の発明において、前記弾性部材を前記取付部材と導通するよう構成したことを特徴とする。
【００３２】
削除
従って、請求項１又は２記載の発明によれば、導電性を有する弾性部材によって原稿読取手段を位置決めするとともに、前記弾性部材がフレームグランドと導通するよう構成したため、環境に優しい製品作りとして組み立て易く分解し易い構成を実現することができるとともに、原稿通紙によって発生する静電気による読取部の誤動作及び破壊を防ぐことができる。
【００３３】
請求項３記載の発明によれば、弾性部材を板バネで構成したため、装置の小型化及びコストダウンを図ることができる。
【００３４】
請求項４記載の発明によれば、原稿読取装置に原稿搬送手段を設けたため、ユーザーが使い易い構成とすることができる。
【００３５】
請求項５記載の発明によれば、原稿搬送手段をローラで構成したため、装置の小型化及びコストダウンを図ることができる。
【００３６】
請求項６記載の発明によれば、ローラを金属軸を有するローラで構成したため、装置の小型化及びコストダウンを図ることができる。
【００３７】
請求項７記載の発明によれば、弾性部材をローラの金属軸と導通するよう構成したため、原稿通紙により発生する静電気を導通させることができる。
【００３８】
請求項８記載の発明によれば、コンタクトイメージセンサを、少なくとも原稿を照明する光源と、原稿から得られる光像を読み取る読取素子及び筐体を有し、少なくとも前記読取素子が配設された基板を導電性を有して弾性変形可能な取付部材にてよって前記筐体に取り付けて構成したため、接着剤等を使用することなく、環境に優しい製品作りとして組み立て易く分解し易い構成を実現することができる。
【００３９】
請求項９記載の発明によれば、弾性部材を取付部材と導通するよう構成したため、原稿通紙によって発生する静電気による読取部の誤動作及び破壊を防ぐことができる。
【００４０】
【発明の実施の形態】
以下に本発明の実施の形態を添付図面に基づいて説明する。
【００４１】
＜実施の形態１＞
図１は本発明の実施の形態１に係る原稿読取装置の全体構成を示す断面図である。
【００４２】
本実施の形態に係る原稿読取装置においては、本体シャーシ１と、装置の制御を行う制御基板２と、装置へ電力供給を行う電源ユニット３と、装置の操作を行う操作パネル４と、操作パネル４の制御基板５と、原稿６を積載するための原稿台７が配置されている。
【００４３】
原稿６は原稿台７と原稿補助台８とに積載され、原稿６の幅方向を規制する幅規制板９により幅方向のガイドが行われる。複数枚の原稿６は分離ローラ１０が不図示の駆動モータによって図示矢印方向に回転駆動され、予備搬送板１１が分離ローラ１０側に付勢されることによって摩擦片１２と分離ローラ１０との楔形状の位置まで搬送される。そして、摩擦片１２により複数枚の原稿６は１枚ずつ捌かれ、給送ローラ１３ａが不図示の駆動モータによって図示矢印方向に回転駆動されると、該給送ローラ１３ａに対向する補助コロ１３ｂの付勢力を得て搬送される。このとき、原稿搬送ガイド１４は原稿６を分離ローラ１０から後述するコンタクトイメージセンサ１５までガイドする。
【００４４】
本発明の要旨を構成するコンタクトセンサ取付板１５ｂに取り付けられたコンタクトイメージセンサ１５の上部には、読取基準板１６がコンタクトイメージセンサ１５の読取幅全域を覆うように設けられている。尚、読取基準板１６は原稿６のバックグランドカラーとなるとともに、読み取りにおける白基準を構成する。
【００４５】
又、コンタクトイメージセンサ１５の内部には、原稿６を照射する後述の光源（本実施の形態ではＬＥＤ１５ａ３を使用）が配置されている。そして、排紙ローラ１７ａが不図示の駆動モータによって図示矢印方向に回転駆動されると、コンタクトイメージセンサ１５によって読み取られた原稿６が排紙ローラ１７ａに対向する補助コロ１７ｂの付勢力を得て当該画像読取装置外へと図示矢印ａ方向に排出される。
【００４６】
ここで、前記コンタクトイメージセンサ１５及びコンタクトセンサ取付板１５ｂの構成の詳細を図２及び図３に基づいて説明する。
【００４７】
図２はコンタクトイメージセンサ１５及びコンタクトセンサ取付板１５ｂの拡大斜視図、図３はコンタクトイメージセンサ１５及びコンタクトセンサ取付板１５ｂ周辺の拡大断面図である。
【００４８】
先ず、コンタクトイメージセンサ１５の構成について説明すると、筐体１５ａの上面側の通紙面に原稿ガラス１５ａ１が設けられており、最下面には光電変換素子１５ａ２と原稿６を照射するＬＥＤ１５ａ３が実装されているセンサ基板１５ａ４が基板バネ１５ａ５によるパッチン留めによって取り付けられている。
【００４９】
而して、ＬＥＤ１５ａ３が発光すると、導光管１５ａ６が原稿ガラス１５ａ１の上面を通過する原稿６を照射し、その光がセルフォックレンズ１５ａ７を透過（通過）して光電変換素子１５ａ２に受光されることによって画像が読み取られる。
【００５０】
本実施の形態では、コンタクトセンサ取付板１５ｂに不図示のパッチン留めによってＣＳ取付バネ１５ｃが留められている。
【００５１】
又、引っ掛けリブ１５ｂ２がコンタクトイメージセンサ１５の筐体１５ａの肉抜き１５ａ８を利用して筐体１５ａを保持しており、弾性変形するよう構成された引っ掛け爪１５ｂ１が同様に筐体１５ａを保持している。このとき、コンタクトイメージセンサ１５は図示矢印ｂ方向への移動は前記引っ掛けリブ１５ｂ１と引っ掛けリブ１５ｂ２によって規制されており、常に安定した原稿通紙面高さを維持している。そして、コンタクトイメージセンサ１５は図示矢印ｃ方向にはコンタクトセンサ突き当て壁１５ｂ３と引っ掛け爪１５ｂ１とのクリアランス分だけ移動可能に構成されている。
【００５２】
ところで、ＣＳ取付バネ１５ｃの位置決め押圧部１５ｃ１は基板バネ１５ａ５に当接し、コンタクトイメージセンサ１５を図３の矢印ｄ方向へと押圧してこれを前記コンタクトセンサ突き当て壁１５ｂ３に突き当てて常に安定した読取位置を確保する。そして、アース押圧部１５ｃ２が図３の矢印ｅ方向に若干の付勢力にて給送ローラ軸１３ａ１に当接されている。尚、本実施の形態では、給送ローラ軸１３ａ１は金属で構成されており、原稿読取装置本体の不図示のフレームグランドと導通している。
【００５３】
以上のように構成することによって、コンタクトイメージセンサ１５とコンタクトセンサ取付板１５ｂをビスによる固定ではなくパッチン留めによって固定することができるとともに、読取位置の位置決めが確実に行われる。このため、環境に優しい製品作りとして組み立て易く、分解し易い構成が実現される。
【００５４】
又、コンタクトイメージセンサ１５の原稿ガラス面１５ａ１と原稿６が常に擦れるために発生する静電気はＣＳ取付バネ１５ｃへと流れ、給送ローラ軸１３ａ１を経て本体のフレームグランドへと導通するため、直ちにセンサ基板１５ａ４へは流れなくなる。この結果、原稿搬送による静電気のためにコンタクトイメージセンサ１５が誤動作及び最悪の場合には破壊するということがなくなり、常に安定した画像をユーザーに提供することができる。
【００５５】
更に、装置の外形の大型化及びコストアップを招くことなく、画像品質をより向上させることができる。
【００５６】
又、原稿６の通紙による静電気を除去するための除電ブラシやシート等の除電材を搬送路に設ける必要もなくなり、コストダウンを図ることができる。そして、除電材を両面テープや接着剤等で原稿搬送路に貼り付けることがないため、分解する際に除電材を剥しづらいという問題がなく、環境に優しい構成が実現できる。
【００５７】
＜実施の形態２＞
次に、本発明の実施の形態２を図４〜図７に基づいて説明する。
【００５８】
図４は複合装置の断面図、図５は同複合装置の外観斜視図、図６は同複写装置の分解断面図、図７は同複合装置の制御系の構成を示すブロック図である。
【００５９】
先ず、本発明の実施の形態２に係る画像読取装置を備える複合装置の全体構成を図４及び図５に基づいて説明する。
【００６０】
本実施の形態に係る複合装置は記録系として一般にインクジェット記録装置と称されるものを採用しており、該記録装置は、図４に示すように、記録シート１２０を供給する給紙系Ａと、記録装置としての記録系Ｂと、原稿１０３に記載された画像を読み取るための読取系Ｃ及び操作部Ｄによって構成されており、本体上カバー１０１、本体下カバー１０２、装置の制御を行う制御基板１０２ａ及び装置に電力を供給する電源ユニット１０２ｂを配置している。
【００６１】
先ず、最初に本発明の要旨を構成する読取系Ａについて説明する。
【００６２】
読取系Ａは、原稿１０３に光を照射してその反射光を電気信号に変換し、この信号を操作モードに応じて他機に伝送し、又は自己の記録系Ｂに伝送するものである。
【００６３】
詳細に説明すると、原稿１０３は、原稿台１０４と原稿補助トレー１０５に積載されており、原稿幅規制板１０６ａ，１０６ｂによって搬送時の幅方向への斜行等が防がれる。
【００６４】
複数枚の原稿１０３は、分離ローラ１０７が不図示の駆動モータによって図示矢印方向に回転駆動されると、予備搬送板１０８が分離ローラ１０７側に付勢されることによって摩擦片１０９と分離ローラ１０７との楔形状の位置まで搬送される。そして、複数枚の原稿１０３は摩擦片１０９によって１枚ずつ捌かれ、給送ローラ１１０ａが不図示の駆動モータによって図示矢印方向に回転駆動されると、該給送ローラ１１０ａに対向する補助コロ１１０ｂの付勢力を得て搬送される。尚、原稿搬送ガイド１１１は原稿１０３を分離ローラ１０７から後述のコンタクトイメージセンサ１１２までガイドする。
【００６５】
本発明の最も特徴的なコンタクトセンサ取付板１１２ａに取り付けられたコンタクトイメージセンサ１１２の上部には、読取基準板１１３がコンタクトイメージセンサ１１２の読取幅全域を覆うように設けられている。尚、読取基準板１１３は原稿１０３のバックグランドカラーとなるとともに、読み取りにおける絶対白を構成する。
【００６６】
又、コンタクトイメージセンサ１１２の内部には、原稿１０３を照射する後述の光源（本実施の形態ではＬＥＤを使用）が配置されている。そして、コンタクトセンサ１１２で読み取られた原稿１０３は、排紙ローラ１１４ａが不図示の駆動モータによって矢印方向に回転駆動されると、排紙ローラ１１４ａに対向する補助コロ１１４ｂの付勢力を得て当該画像読取装置外へと図示矢印ｆ方向に排出され、原稿排紙トレー１１５に積載される。尚、原稿排紙トレー１１５は図５の矢印方向に移動可能に構成されており、読取動作時以外は機内に収納されている。
【００６７】
本実施の形態におけるコンタクトセンサ取付板１１２ａの構成は実施の形態１のそれと同様であるため、これについての説明は省略する。
【００６８】
次に、前記操作部Ｄについて説明する。
【００６９】
操作部Ｄは、コピー操作、送信操作、スキャナー操作等の操作を行うためのものである。操作カバー１１６にはダイヤルキー１１６ａ等の各種操作に応じたキーや表示部１１６ｂが設けられている。この操作部Ｄは、読取系Ｃにおける原稿搬送機構の上部に設けられており、本複合装置に対して図６の矢印ｇ方向に回動可能に構成されている。尚、操作部Ｄの一方端側には送信・受信を行う電話回線用モジュラ１０２ｃ１が装備されている。
【００７０】
次に、給紙系Ａについて説明する。
【００７１】
記録シート１２０としては、普通紙やプラスチックシート等及びその他の材質であってインクを転写し得るものを用いることが可能である。本実施の形態では、Ｂ４サイズ又はＡ４サイズにカットされた普通紙を記録シート１２０として用いている。そして、記録シート１２０（以後、記録紙と称す）は、本体上カバー１０１の背面に設けられた記録紙高さ規制板１０１ａによって記録紙トレー１２１と矢印方向に引き出し可能な記録紙補助トレー１２２とに限られた枚数が収納積載される。又、記録紙サイドガイド１２３が記録紙１２０の幅方向を規制している。
【００７２】
又、図５において、記録紙１２０の底部に位置する圧板１２４は、不図示の回転軸を中心に回動可能に支持され、不図示の駆動系によって１回転制御され、圧板バネ１２４ａによって記録紙１２０を給紙ローラ１２５へ圧接して搬送するようバネ性を有している。そして、給紙ローラ１２５が図示矢印方向に回転駆動されると、搬送された記録紙１２０は爪分離により捌かれて１枚ずつ記録部Ｂへと搬送される。
【００７３】
次に、記録系Ｂについて説明する。
【００７４】
本複合装置の記録系Ｂには一般にインクジェット記録装置と称されるものが使用されている。
【００７５】
記録系Ｂは他機から伝送された画信号或は読取系Ｃから伝送された画信号に応じて給紙系Ａより給送された記録紙１２０に画像を記録するものである。
【００７６】
詳細に説明すると、記録紙押え１２６はＬＦローラ１２７側に押圧されており、給紙系Ａより搬送された記録紙１２０の上ガイドを兼ねながらピンチローラ１２６ａをＬＦローラ１２７に対向させている。そして、記録カートリッジ１２８とプラテン板１２９との間を記録紙１２０が搬送され、記録カートリッジ１２８によって記録動作を行う。
【００７７】
本実施の形態においては、不図示のモータ及び駆動系によって記録カートリッジ１２８が記録紙１２０の幅方向に移動しながらシリアル印字するよう構成されている。そして、印字記録後の記録紙１２０は、排紙ローラ１３０ａと対向する拍車ローラ１３０ｂによって印字面を汚さないように矢印ｅ方向に機外へと搬送され、排紙カバー１３１と図５の矢印方向に移動可能な排紙補助トレー１３２へと積載される。
【００７８】
ところで、図６に示すように、原稿積載台１０４は本体上カバー１０１の不図示の回転軸を中心として矢印ｈ方向に回転可能に支持されている。又、記録カートリッジ１２８は矢印ｉ方向に着脱可能に構成されている。
【００７９】
次に、本複合装置の制御系の構成を図７に基づいて説明する。
【００８０】
本複合装置の制御系は、該複合装置を制御する制御部１０２ａと、装置全体に電力を供給する電源ユニット１０２ｂと、モデム基板ユニット１０２ａ１と、電話機を接続する通信基板ユニット１０２ｃと、操作部Ｄから入力した内容等を表示する表示部１１６ｂ等を含んで構成されている。
【００８１】
上記制御部１０２ａは、装置全体の制御を行うＣＰＵ１０２ａ２と、各種プログラムや各種データ等を格納したＲＯＭ１０２ａ３と、前記ＣＰＵ１０２ａ２のワークエリアとして使用されるとともに、記録枚数等の各種データの一時保存や各種データの保管登録を行うＲＡＭ１０２ａ４、入出力切換インターフェース１０２ａ８等を有している。
【００８２】
又、１０２ａ５は、画像データの各ラインのイメージを格納するラインメモリであって、原稿１０３の送信若しくはコピーの場合は原稿読取系Ｃからの１ライン分のイメージデータが格納され、画像データの受信の場合には復号された１ライン分のデータが格納される。そして、上記ラインメモリ１０２ａ５に格納された画像データは、ＣＰＵ１０２ａ２を通って記録系制御コードを追加して入出力切換インターフェース１０２ａ８から記録系ＢのＣＰＵＢ１に出力され、ＣＰＵＢ１が前記記録系制御コードを解読することによって画像記録が行われる。
【００８３】
更に、１０２ａ６は送信する画像情報をＭＨ符号化等により符号化したり、受信した符号化画像データを復号化してイメージデータに変換する符号化／復号化部である。１０２ａ７は送受信された符号化画像データを格納するバッファメモリである。
【００８４】
而して、周辺コンピュータＥよりプリンタインターフェース１０２ａ９を介して画像データやテキストデータを記録系Ｂへと出力することができ、又、読取系Ｃによって読み取った画像データを周辺コンピュータＥへと取り込むことができる。
【００８５】
＜実施の形態３＞
次に、本発明の実施の形態３について説明する。
【００８６】
ここでは、前記実施の形態２において説明した複合装置における各部の他の実施の形態について説明する。
【００８７】
前記実施の形態２ではインクジェット記録方式を記録手段として用いたが、トナーを使用する電子写真記録方式（レーザビームプリンター）、若しくはインクシートとサーマルヘッドを使用する熱転写記録方式等を用いても良いことは勿論である。
【００８８】
又、前記実施の形態２では、コンタクトイメージセンサを読取手段としたが、光源とＣＣＤを用いた縮小光学系で読取手段を構成しても良い。
【００８９】
更に、前記実施の形態２では、板バネをＣＳバネとして本体へのフレームグランドへの導通を行ったが、導電性を有して弾性変形する材料であれば、板バネ以外のものを使用することができる。例えば、導電性樹脂のモールドバネ性を利用しても良い。このようにすることによってコンタクトセンサ取付板と一体化することも可能となり、同一の品質が得られるとともに、コストダウンを図ることができる。
【００９０】
又、前記実施の形態２では給紙系の機構として爪分離方式を使用したが、摩擦分離やリタード分離等の他の分離方式で構成しても良いことは勿論である。
【００９５】
【発明の効果】
以上の説明で明らかなように、請求項１又は２記載の発明によれば、導電性を有する弾性部材によって原稿読取手段を位置決めするとともに、前記弾性部材がフレームグランドと導通するよう構成したため、環境に優しい製品作りとして組み立て易く分解し易い構成を実現することができるとともに、原稿通紙によって発生する静電気による読取部の誤動作及び破壊を防ぐことができるという効果が得られる。
【００９６】
請求項３記載の発明によれば、弾性部材を板バネで構成したため、装置の小型化及びコストダウンを図ることができるという効果が得られる。
【００９７】
請求項４記載の発明によれば、原稿読取装置に原稿搬送手段を設けたため、ユーザーが使い易い構成とすることができるという効果が得られる。
【００９８】
請求項５記載の発明によれば、原稿搬送手段をローラで構成したため、装置の小型化及びコストダウンを図ることができるという効果が得られる。
【００９９】
請求項６記載の発明によれば、ローラを金属軸を有するローラで構成したため、装置の小型化及びコストダウンを図ることができるという効果が得られる。
【０１００】
請求項７記載の発明によれば、弾性部材をローラの金属軸と導通するよう構成したため、原稿通紙により発生する静電気を導通させることができるという効果が得られる。
【０１０１】
請求項８記載の発明によれば、コンタクトイメージセンサを、少なくとも原稿を照明する光源と、原稿から得られる光像を読み取る読取素子及び筐体を有し、少なくとも前記読取素子が配設された基板を導電性を有して弾性変形可能な取付部材にてよって前記筐体に取り付けて構成したため、接着剤等を使用することなく、環境に優しい製品作りとして組み立て易く分解し易い構成を実現することができるという効果が得られる。
【０１０２】
請求項９記載の発明によれば、弾性部材を取付部材と導通するよう構成したため、原稿通紙によって発生する静電気による読取部の誤動作及び破壊を防ぐことができるという効果が得られる。
【図面の簡単な説明】
【図１】本発明の実施の形態１に係る原稿読取装置の全体構成を示す断面図である。
【図２】本発明の実施の形態１に係る原稿読取装置のコンタクトイメージセンサ及びコンタクトセンサ取付板の拡大斜視図である。
【図３】本発明の実施の形態１に係る原稿読取装置のコンタクトイメージセンサ及びコンタクトセンサ取付板周辺の拡大断面図である。
【図４】本発明の実施の形態２に係る原稿読取装置を備える複合装置の断面図である。
【図５】本発明の実施の形態２に係る原稿読取装置を備える複合装置の外観斜視図である。
【図６】本発明の実施の形態２に係る原稿読取装置を備える複合装置の分解断面図である。
【図７】本発明の実施の形態２に係る原稿読取装置を備える複合装置の制御系の構成を示すブロック図である。
【図８】従来の画像読取装置の断面図である。
【符号の説明】
６          原稿
１３ａ      給送ローラ（原稿搬送手段）
１３ａ１    ローラ軸（金属軸）
１３ｂ      補助コロ（原稿搬送手段）
１４        原稿搬送ガイド
１５        コンタクトイメージセンサ（原稿読取手段）
１５ａ      筐体
１５ａ１    原稿ガラス
１５ａ２    光電変換素子（読取素子）
１５ａ３    ＬＥＤ（光源）
１５ａ４    センサ基板（基板）
１５ａ５    基板バネ（取付部材）
１５ｃ      ＣＳ取付バネ（弾性部材）
１７ａ      排紙ローラ（原稿搬送手段）
１７ｂ      補助コロ（原稿搬送手段）
１０３      原稿
１１０ａ    給送ローラ（原稿搬送手段）
１１０ｂ    補助コロ（原稿搬送手段）
１１２      コンタクトイメージセンサ（原稿読取手段）
【図１】
0003630994.tif 000002
【図２】
0003630994.tif 000003
【図３】
0003630994.tif 000004
【図４】
0003630994.tif 000005
【図５】
0003630994.tif 000006
【図６】
0003630994.tif 000007
【図７】
0003630994.tif 000008
【図８】
0003630994.tif 000009